(57)【要約】【課題】高いブローバイガスの処理性能を備えながら、ブローバイガス通路への乳化物の堆積を抑制することができるエンジンのオイルセパレータ構造を提供する。【解決手段】オイルセパレータ部５は、ブローバイガスの通路を有する。ブローバイガスの通路は、当該通路を囲む内壁面の一部から立設された絞り壁部４４により、当該ブローバイガスの流れ方向の上流側室５ａと下流側室５ｂとに仕切られている。絞り壁部４４には、２室５ａ，５ｂを連通する連通孔４４ａ及び絞り孔４４ｂがあけられている。連通孔４４ａ及び絞り孔４４ｂは、上流側室５ａの流路断面積に比べて流路が絞られている。仕切板４の本体部４０のＺ方向下側には、オイル通路６が設けられている。絞り壁部４４は、オイル通路６に対して熱結合されている。なお、オイル通路６には、噴出孔６ｃがあけられている。流通してきたオイルは、噴出孔６ｃからカムシャフトに噴出される。【選択図】図６
2018168720.tif 000002
【特許請求の範囲】
【請求項１】
ブローバイガスが流通する通路を有し、当該通路を流通するブローバイガス中に含まれるオイルミストを液化してオイルを分離・回収するエンジンのオイルセパレータ構造において、
前記ブローバイガスの通路は、当該通路を囲む内壁面の一部から立設された壁部により、当該ブローバイガスの流れ方向の上流側と下流側とで２室に仕切られており、
前記２室を仕切る前記壁部には、少なくとも前記上流側の部屋の流路断面積に比べて流路が絞られ、前記２室を連通する連通孔が設けられており、
前記ブローバイガスの通路に対し隣接する箇所に、前記エンジンに対して供給するオイルの通路であるオイル通路が設けられており、
前記２室を仕切る前記壁部は、前記オイル通路に熱結合されている、
エンジンのオイルセパレータ構造。
【請求項２】
請求項１記載のエンジンのオイルセパレータ構造であって、
前記ブローバイガスの通路は、椀状のヘッドカバーと、当該ヘッドカバーの開口部の一部を塞ぐ仕切板と、で構成されており、
前記壁部は、前記仕切板から立設されており、
前記オイル通路は、前記仕切板に沿って配設されている、
エンジンのオイルセパレータ構造。
【請求項３】
請求項２記載のエンジンのオイルセパレータ構造であって、
前記オイル通路は、前記仕切板と、断面Ｕ字状又は断面コの字状を有する通路構成部材とが、液密に接合されることにより構成されている、
エンジンのオイルセパレータ構造。
【請求項４】
請求項２又は請求項３記載のエンジンのオイルセパレータ構造であって、
前記オイル通路は、前記仕切板に対して、前記ヘッドカバーの側とは反対側に設けられており、
前記仕切板の板厚方向から平面視する場合において、前記壁部と前記オイル通路とは、互いの一部同士が重なり合う位置関係を以って配置されている、
エンジンのオイルセパレータ構造。
【請求項５】
請求項４記載のエンジンのオイルセパレータ構造であって、
前記オイル通路を挟み、前記仕切板とは反対側には、カムシャフトが配設されており、
前記オイル通路には、前記カムシャフトに対して通路内のオイルを噴出するための噴出孔があけられている、
エンジンのオイルセパレータ構造。
【請求項６】
請求項１から請求項５の何れか記載のエンジンのオイルセパレータ構造であって、
前記２室のうちの前記下流側の部屋には、前記連通孔の出口に対して間隙をあけて対向する捕集部材が設けられている、
エンジンのオイルセパレータ構造。
【請求項７】
請求項１から請求項６の何れか記載のエンジンのオイルセパレータ構造であって、
前記ブローバイガスの通路における上流端には、当該通路に前記ブローバイガスを導入するためのブローバイガス導入部が設けられており、
前記オイル通路は、前記ブローバイガスの通路に対して隣接する箇所の上流端に、オイル導入部を有し、
前記ブローバイガス導入部は、前記オイル通路における前記オイル導入部に熱結合されている、
エンジンのオイルセパレータ構造。
【請求項８】
請求項１から請求項７の何れか記載のエンジンのオイルセパレータ構造であって、
前記オイル通路は、その延伸方向である第１方向に対して直交する第２方向の通路幅が、前記第１方向及び前記第２方向の双方向に直交する第３方向の通路深さに対して広い、
エンジンのオイルセパレータ構造。
【発明の詳細な説明】
【技術分野】
【０００１】
本発明は、エンジンのオイルセパレータ構造に関する。
【背景技術】
【０００２】
自動車等の車両に搭載されるエンジンにおいては、燃焼室内での燃焼に伴い、クランクケース内にブローバイガスが漏れ出る。このようなブローバイガスは、含まれているオイルミストを除去して後、吸気系に戻して燃焼室に還流させる構成が従来から採用されている。
【０００３】
ここで、ブローバイガス中に含まれているオイルミストを分離するために、ブローバイガス通路中に、流路を絞った孔部と、当該孔部の出口において、孔部を通ったブローバイガスを衝突させるための壁部と、を設けた構造が採用されることもある（例えば、特許文献１）。
【０００４】
特許文献１では、上記構造を採用することにより、高効率なオイル分離が実現できる、とされている。
【先行技術文献】
【特許文献】
【０００５】
【特許文献１】特開２０００−４５７５０号公報
【発明の概要】
【発明が解決しようとする課題】
【０００６】
ところで、外気温が低く、エンジンが駆動していないような状況においては、ブローバイガス中に含まれている水分とオイル分とが混合し乳化することがある。このように生成された乳化物は、低温状況下において、オイルセパレータにおけるブローバイガス通路を囲む壁に付着・堆積する。この結果、ブローバイガスの流通抵抗が増大し、エンジンを始動した際のオイル分離に係る処理性能の低下をもたらす。
【０００７】
特に、上記特許文献１に開示の技術のように、ブローバイガスの流路を絞るための孔部が設けられてなるオイルセパレータ構造の場合には、孔部に乳化物が堆積するとブローバイガスの流路が閉塞されるに至ることも考えられ、対策が望まれる。
【０００８】
本発明は、上記のような問題の解決を図ろうとなされたものであって、高いブローバイガスの処理性能を備えながら、ブローバイガス通路への乳化物の堆積を抑制することができるエンジンのオイルセパレータ構造を提供することを目的とする。
【課題を解決するための手段】
【０００９】
本発明の一態様に係るエンジンのオイルセパレータ構造は、ブローバイガスが流通する通路を有し、当該通路を流通するブローバイガス中に含まれるオイルミストを液化してオイルを分離・回収する構造である。
【００１０】
本態様において、前記ブローバイガスの通路は、当該通路を囲む内壁面の一部から立設された壁部により、当該ブローバイガスの流れ方向の上流側と下流側とで２室に仕切られており、前記２室を仕切る前記壁部には、少なくとも前記上流側の部屋の流路断面積に比べて流路が絞られ、前記２室を連通する連通孔が設けられている。そして、前記ブローバイガスの通路に対し隣接する箇所に、前記エンジンに対して供給するためのオイルの通路であるオイル通路が設けられており、前記２室を仕切る前記壁部は、前記オイル通路に熱結合されている。
【００１１】
上記態様に係るエンジンのオイルセパレータ構造では、２室を仕切る壁部（以下、「絞り壁部」と記載する。）とオイル通路とが熱結合されている。このため、外気温が低い状態で、乳化物が連通孔に堆積された場合にあっても、エンジンの始動によりオイル通路を流通するオイルの熱が絞り壁部に伝達される。よって、仮に乳化物が連通孔に堆積した場合にあっても、オイルの熱により絞り壁部が加温され、連通孔に堆積された乳化物が液化・除去される。
【００１２】
また、上記態様に係るエンジンのオイルセパレータ構造では、絞り壁部にあけられた連通孔により、当該連通孔を通過する際のブローバイガスの流速が増速され、オイルミストの分離が高効率になされる。
【００１３】
従って、上記態様に係るエンジンのオイルセパレータ構造では、高いブローバイガスの処理性能を備えながら、ブローバイガス通路（特に、絞り壁部の連通孔）への乳化物の堆積を抑制することができる。
【００１４】
本発明の別態様に係るエンジンのオイルセパレータ構造は、上記構成において、前記ブローバイガスの通路は、椀状のヘッドカバーと、当該ヘッドカバーの開口部の一部を塞ぐ仕切板と、で構成されており、前記壁部は、前記仕切板から立設されており、前記オイル通路は、前記仕切板に沿って配設されている。
【００１５】
上記態様に係るエンジンのオイルセパレータ構造では、オイル通路が仕切板に沿って配設されているので、オイル通路を流通するオイルの熱が、仕切板にも伝達される。よって、仕切板の温度上昇により、ブローバイガスの通路内における上記連通孔以外に堆積された乳化物も液化され、ブローバイガスの処理性能をさらに高めることができる。
【００１６】
本発明の別態様に係るエンジンのオイルセパレータ構造は、上記構成において、前記オイル通路は、前記仕切板と、断面Ｕ字状又は断面コの字状を有する通路構成部材とが、液密に接合されることにより構成されている。
【００１７】
上記態様に係るエンジンのオイルセパレータ構造では、仕切板に通路構成部材が接合されることにより、オイル通路が構成されている。即ち、仕切板もオイル通路の構成部の一部となっており、流通するオイルの熱がブローバイガスの通路に伝達され易い。よって、上記態様に係るエンジンのオイルセパレータ構造では、さらに乳化物の液化を促進することができ、より高いブローバイガスの処理が可能である。
【００１８】
本発明の別態様に係るエンジンのオイルセパレータ構造は、上記構成において、前記オイル通路は、前記仕切板に対して、前記ヘッドカバーの側とは反対側に設けられており、前記仕切板の板厚方向から平面視する場合において、前記壁部と前記オイル通路とは、互いの一部同士が重なり合う位置関係を以って配置されている。
【００１９】
上記態様に係るエンジンのオイルセパレータ構造では、平面視において、絞り壁部とオイル通路とが互いの一部同士が重なり合うようになっているので、オイル通路中を流通するオイルの熱が、仕切板の板厚分だけの距離を以って絞り壁部に伝達される。よって、オイルの熱が高効率に絞り壁部に伝達され、連通孔に堆積した乳化物が確実に液化される。
【００２０】
本発明の別態様に係るエンジンのオイルセパレータ構造であって、上記構成において、前記オイル通路を挟み、前記仕切板とは反対側には、カムシャフトが配設されており、前記オイル通路には、前記カムシャフトに対して通路内のオイルを噴出するための噴出孔があけられている。
【００２１】
上記態様に係るエンジンのオイルセパレータ構造では、オイル通路に噴出孔が設けられ、流通してきたオイルは、カムシャフトに噴出される。即ち、上記態様に係るエンジンのオイルセパレータ構造では、カムシャフトを潤滑するためのオイルの熱を用い、オイルセパレータ内に堆積した乳化物を液化・除去することとしている。よって、別途、堆積した乳化物を液化・除去するためのオイル通路や電熱ヒータ等を設ける場合に比べて、構成を簡略化することができるので、スペース効率を効率化することができ、また、製造コストの上昇を抑えることができる。
【００２２】
なお、カムシャフトの潤滑を行うために供給されるオイルは、エンジン始動後に早期に温度が上昇するので、乳化物を液化するのに好適である。
【００２３】
本発明の別態様に係るエンジンのオイルセパレータ構造は、上記構成において、前記２室のうちの前記下流側の部屋には、前記連通孔の出口に対して間隙をあけて対向する捕集部材が設けられている。
【００２４】
上記態様に係るエンジンのオイルセパレータ構造では、連通孔の出口に対して間隙をあけて対向する捕集部材が設けられているので、分離されたオイルが再びブローバイガスに混入してしまうことが抑制でき、高いブローバイガスの処理性能を実現するのに優位である。
【００２５】
本発明の別態様に係るエンジンのオイルセパレータ構造は、上記構成において、前記ブローバイガスの通路における上流端には、当該通路に前記ブローバイガスを導入するためのブローバイガス導入部が設けられており、前記オイル通路は、前記ブローバイガスの通路に対して隣接する箇所の上流端に、オイル導入部を有し、前記ブローバイガス導入部は、前記オイル通路における前記オイル導入部に熱結合されている。
【００２６】
上記態様に係るエンジンのオイルセパレータ構造では、ブローバイガス導入部に対してもオイル通路が熱結合されているので、オイルセパレータに導入されるブローバイガスを加温することができ、ブローバイガスの流通路全体に亘り乳化物の液化を図ることが可能となる。よって、上記態様に係るエンジンのオイルセパレータ構造では、より高いブローバイガスの処理性能を実現することが可能となる。
【００２７】
本発明の別態様に係るエンジンのオイルセパレータ構造は、上記構成において、前記オイル通路は、その延伸方向である第１方向に対して直交する第２方向の通路幅が、前記第１方向及び前記第２方向の双方向に直交する第３方向の通路深さに対して広い。
【００２８】
上記態様に係るエンジンのオイルセパレータ構造では、断面において扁平形状のオイル通路を採用することにより、流通するオイルの熱を効果的にブローバイガスの通路へと伝達させることができる。よって、上記態様に係るエンジンのオイルセパレータ構造では、より高いブローバイガスの処理性能を実現することが可能となる。
【００２９】
なお、本明細書において「熱結合」とは、第１の部位と第２の部位との間において、熱伝達可能な状態であることを意味し、第１の部位と第２の部位とが直に当接状態にあるか否かは問わない。
【発明の効果】
【００３０】
上記の各態様に係るエンジンのオイルセパレータ構造では、高いブローバイガスの処理性能を備えながら、ブローバイガス通路への乳化物の堆積を抑制することができる。
【図面の簡単な説明】
【００３１】
【図１】実施形態に係るエンジン１におけるシリンダヘッド２内の構造を示す模式断面図である。
【図２】オイル通路６，９を、図１の矢印Ａの側から平面視して示す模式平面図である。
【図３】オイル通路６，９を、図１の矢印Ｂの側から平面視して示す模式平面図である。
【図４】図１のＩＶ−ＩＶ断面を示す図であって、シリンダヘッド２内の構造を示す模式断面図である。
【図５】仕切板４の構成を示す模式斜視図である。
【図６】オイルセパレータ部５の一部構成を示す模式断面図である。
【図７】仕切板４における絞り壁部４４とオイル通路６との配置関係を示す模式断面図である。
【図８】変形例１に係る仕切板１２における絞り壁部１２０とオイル通路１３，１４との配置関係を示す模式断面図である。
【図９】変形例２に係る仕切板１５における絞り壁部４４とオイル通路部１５０ａとの配置関係を示す模式断面図である。
【発明を実施するための形態】
【００３２】
以下では、本発明の実施形態について、図面を参酌しながら説明する。なお、以下で説明の形態は、本発明の一態様であって、本発明は、その本質的な構成を除き何ら以下の形態に限定を受けるものではない。
【００３３】
［実施形態］
１．エンジン１におけるシリンダヘッド２の構成
実施形態に係るエンジン１におけるシリンダヘッド２の構成について、図１から図４を用い説明する。なお、本実施形態に係るエンジン１は、一例として４気筒のガソリンエンジンである。
【００３４】
図１に示すように、本実施形態に係るエンジン１のシリンダヘッド２には、オイルセパレータ部（オイルセパレータ構造）５が設けられている。オイルセパレータ部５は、椀状のヘッドカバー３と、当該ヘッドカバー３におけるＺ方向下側の開口部を塞ぐ仕切板４と、で構成されている。
【００３５】
オイルセパレータ部５では、Ｘ方向左端のブローバイガス導入部４２から導入されたブローバイガスが、Ｘ方向右側の排出路７に向けて流通する。排出路７には、詳しい図示を省略しているが、ＰＣＶ（Ｐｏｓｉｔｉｖｅ  Ｃｒａｎｋｃａｓｅ  Ｂｒｅａｔｈｅｒ）バルブ８が内装されている。
【００３６】
オイルセパレータ部５では、流通するブローバイガス中に含まれるオイルミストが分離・液化される。分離・液化されたオイルは、オイルセパレータ部５におけるＸ方向中程の部分に設けられたオイル溜容器４１に貯留され、クランクケースへと戻される。
【００３７】
なお、仕切板４における本体部４０には、Ｚ方向下側部分にオイル通路６が設けられている。
【００３８】
図２及び図３に示すように、オイル通路６は、エンジン１の気筒列方向（Ｘ方向）に沿って延設されている。オイル通路６には、オイル導入部６ｂから導入されたオイルが、導入基部６ａを通りＸ方向右側の奥部分に向けて流通する。そして、図２に示すように、オイル通路６には、複数の噴出孔６ｃがあけられており、図３に示すように、オイル通路６の下方に配されたカムシャフト１０に向けて、噴出孔６ｃからオイルが噴出されるようになっている。
【００３９】
なお、オイル通路６における導入基部６ａは、ブローバイガス導入部４２に隣接しており、熱結合された状態となっている。
【００４０】
図４に示すように、オイル通路６は、仕切板４の本体部４０のＺ方向下面に対して、断面Ｕ字状又は断面コの字状の通路構成部材６０を液密に接合することにより構成されている（矢印Ｃで指し示す部分を参照）。このような構成により、オイル通路６は、仕切板４の本体部４０に対して、熱結合された状態となっている。
【００４１】
また、図２及び図３に示すように、本実施形態に係るエンジン１のシリンダヘッド２においては、オイル通路６に対して、Ｙ方向に間隔をあけてオイル通路９も設けられている。オイル通路９についても、オイル導入部６ｂから導入されたオイルが、導入基部６ａを通りＸ方向右側の奥部分に向けて流通する。そして、オイル通路９にも、複数の噴出孔９ｃがあけられており、図３に示すように、オイル通路６の下方に配されたカムシャフト１１に向けて、噴出孔９ｃからオイルが噴出されるようになっている。
【００４２】
なお、図４に示すように、オイル通路９は、ヘッドカバー３のＺ方向下面に対して、断面Ｕ字状又は断面コの字状の通路構成部材９０を液密に接合することにより構成されている。
【００４３】
２．仕切板４の構成
仕切板４の構成について、図５及び図６を用い説明する。なお、図５及び図６では、図示の都合上、オイル溜容器４１については図示を省略している。
【００４４】
図５に示すように、仕切板４は、板体である本体部４０と、上述のオイル溜容器４１と、ブローバイガスの導入部であるブローバイガス導入部４２と、分離壁部４３と、絞り壁部４４と、捕集部材４５と、オイル通路６の端部を支持する支持部４７と、を有する。
【００４５】
本体部４０は、カムシャフト６の延伸方向に沿ってＸ方向に細長い形状を有している。また、Ｘ方向の一端部分からは、支持部４７が延伸している。
【００４６】
分離壁部４３は、本体部４０のＺ方向上側の主面からＺ方向上向きに立設されている。分離壁部４３は、Ｙ−Ｚ面方向に設けられた２枚の板部と、当該２枚の板部間を繋ぐ連結板部と、が一体に形成されてなる。分離壁部４３は、ヘッドカバー３に設けられた垂下板部との組み合わせにより、ラビリンス構造を構成し、これによりブローバイガス中に含まれるオイルミストをその自重で液化・捕集する。
【００４７】
絞り壁部４４は、本体部４０のＺ方向上側の主面であって、Ｘ方向の中程の部分において、Ｚ方向上向きに立設されている。オイルセパレータ部５は、絞り壁部４４よりもブローバイガス導入部４２側の部分が上流側の部屋であり、絞り壁部４４に対してブローバイガス導入部４２とは反対側の部分が下流側の部屋である。そして、図６に示すように、絞り壁部４４の外周部には、ヘッドカバー３の接合板部３１が気密状態で接合される。このため、ブローバイガスの通路（オイルセパレータ部５）は、絞り壁部４４を境に、上流側の部屋と下流側の部屋との２室に仕切られている。
【００４８】
図５及び図６に示すように、絞り壁部４４には、３つの連通孔４４ａが開けられており、各連通孔４４ａには、絞り孔４４ｂが連続している。これにより、オイルセパレータ部５における上流側の部屋と下流側の部屋とは、３つの連通孔４４ａ及び絞り孔４４ｂを通してだけ連通しており、他の部分は塞がれている。
【００４９】
図６に示すように、捕集部材４５の捕集部と絞り壁部４４との間には、間隙ＳＰがあくようになっている。
【００５０】
なお、本実施形態においては、一例として不織布を用い捕集部材４５の捕集部を形成している。
【００５１】
ここで、図６に示すように、エンジン１の駆動中においては、絞り壁部４４よりも下流側の部屋５ｂは、上流側の部屋５ａよりも負圧になる。
【００５２】
３．オイルミストの分離・回収
本実施形態に係るオイルセパレータ部５では、上流側の部屋（上流側室）５ａにおいて分離壁部４３を含むラビリンス構造にてオイルミストが分離されるのと、絞り壁部４４と捕集部材４５との組み合わせによっても、オイルミストが分離・捕集される。
【００５３】
図６に示すように、絞り壁部４４には、連通孔４４ａとこれに連続する絞り孔４４ｂとがあけられている。上流室５ａからのブローバイガスは、連通孔４４ａ及び絞り孔４４ｂを通ることで増速される。そして、増速されたブローバイガスは、間隙ＳＰをあけて配された捕集部材４５の捕集部に衝突する。これにより、ブローバイガス中のオイルミストが分離され、捕集部材４５の捕集部を介して液化される。
【００５４】
４．乳化物の液化
本実施形態に係るエンジン１のオイルセパレータ部５での乳化物の発生メカニズムと、その液化メカニズムについて、図７を用い説明する。
【００５５】
外気温が低く、エンジン１が駆動していないような状況においては、ブローバイガス中に含まれている水分とオイル分とが混合し乳化することがある。このような乳化物は、低温状況下で固化し、オイルセパレータ部５におけるブローバイガス通路を囲む壁に付着・堆積する。このような乳化物が絞り壁部４４の連通孔４４ａや絞り孔４４ｂの孔内に堆積してしまうと、エンジン１を始動させた場合におけるブローバイガスの流通路の一部又は全部が塞がれてしまうことになる。
【００５６】
オイルセパレータ部５において、ブローバイガスの流通路の一部が塞がれてしまうと、処理性能の低下をもたらしてしまう。
【００５７】
図７に示すように、本実施形態に係るエンジン１では、仕切板４において、本体部４０における絞り壁部４４が設けられた部分の下部には、オイル通路６が設けられている。オイル通路６は、図６に示すように、下方に配されたカムシャフト１０（図３を参照。）に対して噴出する潤滑用のオイルが流通する通路である。
【００５８】
本実施形態に係るエンジン１のオイルセパレータ部５では、乳化物が固化し、絞り壁部４４などに堆積した場合にあっても、エンジン１を始動することでオイル通路６を流通するオイルからの熱が絞り壁部４４に伝達される。そして、伝達された熱は、図７の矢印で示すように、絞り壁部４４の上部に向けて伝導され、連通孔４４ａ及び絞り孔４４ｂの周辺にも及ぶ。よって、連通孔４４ａ及び絞り孔４４ｂに堆積された乳化物が加熱により液化され除去され、これにより堆積物の累積的な増大が抑制される。
【００５９】
図７では、絞り壁部４４とオイル通路６との関係だけを示したが、オイルセパレータ部５における他の部分に堆積した乳化物についても、仕切板４の本体部４０を介して伝達されるオイルからの熱により液化され除去される。
【００６０】
５．効果
本実施形態に係るエンジン１のオイルセパレータ部５では、図７を用い説明したように、絞り壁部４４とオイル通路６とが熱結合されている。このため、オイルセパレータ部５において、外気温が低い状態で、乳化物が連通孔に堆積された場合にあっても、エンジン１の始動によりオイル通路６を流通するオイルの熱が絞り壁部４４に伝達される。よって、絞り壁部４４の連通孔４４ａなどの乳化物が堆積した場合にあっても、オイルの熱により絞り壁部４４が加温され、乳化物が液化され除去される。
【００６１】
また、本実施形態に係るエンジン１のオイルセパレータ部５では、絞り壁部４４にあけられた連通孔４４ａ及び絞り孔４４ｂにより、当該連通孔４４ａ及び絞り孔４４ｂを通過する際のブローバイガスの流速が増速され、オイルミストの分離が高効率になされる。
【００６２】
従って、本実施形態に係るエンジン１のオイルセパレータ部５では、高いブローバイガスの処理性能を備えながら、ブローバイガス通路への乳化物の堆積を抑制することができる。
【００６３】
また、本実施形態に係るエンジン１のオイルセパレータ部５では、図２及び図３に示したように、オイル通路６が仕切板４に沿って配設されているので、オイル通路６を流通するオイルの熱が、仕切板４に伝達される。よって、仕切板４の温度上昇により、ブローバイガスの通路内における他の部分（絞り壁部４４以外の部分）での乳化物も液化され、ブローバイガスの処理性能をさらに高めることができる。
【００６４】
また、本実施形態に係るエンジン１のオイルセパレータ部５では、仕切板４の下面（Ｚ方向下側の主面）に通路構成部材６０が接合されることにより、オイル通路６が構成されている。これより、仕切板４の本体部４０もオイル通路６の構成部の一部となっており、流通するオイルの熱がブローバイガスの通路に伝達され易い。よって、本実施形態に係るエンジン１のオイルセパレータ部５では、さらに乳化物の液化を促進することができ、より高いブローバイガスの処理が可能である。
【００６５】
本実施形態に係るエンジン１のオイルセパレータ部５では、図７などに示すように、Ｚ方向からの平面視において、絞り壁部４４とオイル通路６とが互いの一部同士が重なり合うようになっているので、オイル通路６中を流通するオイルの熱が、仕切板４の本体部４０の板厚分だけの距離を以って絞り壁部４４に伝達される。よって、オイルの熱が高効率に絞り壁部４４に伝達され、連通孔４４ａ及び絞り孔４４ｂに堆積した乳化物が確実に液化され除去される。
【００６６】
本実施形態に係るエンジン１のオイルセパレータ部５では、オイル通路６に噴出孔６ｃが設けられ、流通してきたオイルは、カムシャフト１０に噴出される。即ち、本実施形態に係るエンジン１のオイルセパレータ部５では、カムシャフト１０を潤滑するためのオイルを用い、オイルセパレータ部５内の乳化物を液化することとしている。よって、別途、乳化物を液化するためのオイル通路や電熱ヒータ等を設ける場合に比べて、構成を簡略化することができ、スペース効率を効率化することができ、また、製造コストの上昇を抑えることができる。
【００６７】
なお、カムシャフト１０の潤滑を行うために供給されるオイルは、エンジン１の始動後に早期に温度が上昇するので、乳化物を液化するのに好適である。
【００６８】
本実施形態に係るエンジン１のオイルセパレータ部５では、絞り孔４４ｂの出口に対して間隙ＳＰをあけて対向する捕集部材４５が設けられているので、分離されたオイルが再びブローバイガスに混入してしまうことが抑制でき、高いブローバイガスの処理性能を実現するのに優位である。
【００６９】
本実施形態に係るエンジン１のオイルセパレータ部５では、図２を用い説明したように、ブローバイガス導入部４２に対してもオイル通路６が熱結合されているので、オイルセパレータ部５に導入されるブローバイガスを加温することができ、ブローバイガスの流通路（オイルセパレータ部５）全体に亘り乳化物の液化を図ることが可能となる。よって、本実施形態に係るエンジン１のオイルセパレータ部５では、より高いブローバイガスの処理性能を実現することが可能となる。
【００７０】
本実施形態に係るエンジン１のオイルセパレータ部５では、図７に示すような、扁平断面形状のオイル通路６を採用することにより、流通するオイルの熱を効果的にブローバイガスの通路（オイルセパレータ部５）へと伝達させることができる。よって、本実施形態に係るエンジン１のオイルセパレータ部５では、より高いブローバイガスの処理性能を実現することが可能となる。
【００７１】
［変形例１］
変形例１に係るエンジンのオイルセパレータ部の構成について、図８を用い説明する。なお、図８では、本変形例１と上記実施形態との差異部分であるオイル通路１３，１４とその周辺部分を抜き出して図示している。なお、図示及び説明を省略する構成については、上記実施形態と同様の構成を採用することができる。
【００７２】
図８に示すように、仕切板１２の本体部１２０には、２本のオイル通路１３，１４が設けられている。２本のオイル通路１３，１４は、本体部１２０の板厚方向からの平面視において、絞り壁部４４と一部が重なり合う位置に配されている。
【００７３】
本変形例１に係るエンジンのオイルセパレータ部においても、オイル通路１３，１４を流通するオイルの熱が、本体部１２０を介して絞り壁部４４に伝達される。よって、仮に連通孔４４ａなどに乳化物が堆積したような場合にあっても、オイル通路１３，１４を流通するオイルから伝達された熱により乳化物が液化される。
【００７４】
従って、本変形例１においても、高いブローバイガスの処理性能を備えながら、ブローバイガス通路への乳化物の堆積を抑制することができる。
【００７５】
なお、本変形例１では、仕切板１２に対して２本のオイル通路１３，１４を設けることとしたが、３本以上のオイル通路を設けることとしてもよい。また、複数のオイル通路を設ける場合において、オイル通路同士を平行に配する必要は必ずしもない。
【００７６】
［変形例２］
変形例２に係るエンジンのオイルセパレータ部の構成について、図９を用い説明する。なお、図９では、本変形例２と上記実施形態との差異部分である仕切板１５の本体部１５０とその周辺部分を抜き出して図示している。なお、図示及び説明を省略する構成については、上記実施形態と同様の構成を採用することができる。
【００７７】
図９に示すように、本変形例２に係るエンジンのオイルセパレータ部においては、仕切板１５における本体部１５０に対して、オイル通路部１５０ａが一体形成されている。オイル通路部１５０ａは、絞り壁部４４の立設方向（上下方向）からの平面視において、絞り壁部４４と一部が重なり合う位置に設けられている。
【００７８】
また、図９に示すように、本変形例２に係るオイル通路部１５０ａは、上記実施形態に係るオイル通路６等よりも幅広に形成されている。これにより、より円滑にオイルからの熱が絞り壁部４４に伝達される。
【００７９】
本変形例２に係るエンジンのオイルセパレータ部においても、オイル通路部１５０ａを流通するオイルの熱が、直に絞り壁部４４に伝達される。よって、仮に連通孔４４ａなどに乳化物が堆積したような場合にあっても、オイル通路部１５０ａを流通するオイルから伝達された熱により乳化物が液化される。
【００８０】
従って、本変形例２においても、高いブローバイガスの処理性能を備えながら、ブローバイガス通路への乳化物の堆積を抑制することができる。
【００８１】
なお、本変形例２においても、上記変形例１のように、仕切板１５に対して複数のオイル通路部を設けることとしてもよい。また、その場合には、オイル通路部同士を平行に配する必要は必ずしもない。
【００８２】
［その他の変形例］
上記実施形態及び変形例１，２では、シリンダヘッド２において、吸気側と排気側とのそれぞれにカムシャフト１０，１１が設けられてなるエンジン１を採用したが、本発明は、これに限定を受けるものではない。例えば、１本のカムシャフトを有する、所謂、シングルカムタイプのエンジンに上記構成を採用することも可能である。
【００８３】
上記実施形態及び変形例１，２では、オイルセパレータ部５において、分離壁部４３を含むラビリンス構造でのオイル捕集部と、不織布などを有し構成された捕集部材４５を含む慣性衝突構造でのオイル捕集部と、を設けることとしたが、本発明は、これに限定を受けるものではない。例えば、上流側室及び下流側室の両方に慣性衝突構造でのオイル捕集部を設けることとしてもよい。この場合には、上流側室及び下流側室のそれぞれに設けられるオイル捕集部に対して、オイル通路を熱結合させることとすれば、上記同様の効果を得ることができる。
【００８４】
上記実施形態及び変形例１，２では、エンジン１として多気筒エンジンを採用することとしたが、本発明は、これに限定を受けるものではない。単気筒エンジンを採用することもできる。この場合においても、上記同様のオイルセパレータ構造を採用することにより、同様の効果を得ることができる。
【００８５】
上記実施形態及び変形例１，２では、カムシャフト１０，１１の詳細構造については言及しなかったが、中空構造のカムシャフトを採用することもできるし、中実構造のカムシャフトを採用することもできる。
【００８６】
上記実施形態及び変形例１では、仕切板４，１２の各本体部４０，１２０に通路構成部材６０を接合することで、オイル通路６，１３，１４を構成することとしたが、本発明は、これに限定を受けるものではない。例えば、円環状パイプや各断面パイプなどを仕切板の本体部に接合することとしてもよい。これによっても、オイル通路内を流通するオイルからの熱がオイルセパレータ部に伝達されることになり、乳化物の液化により累積的な堆積を抑制することができる。
【００８７】
また、オイル通路と絞り壁部との間を、伝熱特性に優れる部材（例えば、アルミニウム合金やシリコーン系樹脂など）で接続することとしてもよい。これにより、オイル通路内を流通するオイルからの熱をより良好に絞り壁部に伝達させることができる。
【００８８】
上記実施形態及び変形例１では、略コの字状の断面形状を有する通路構成部材６０を用いオイル通路６，１２を構成することとしたが、本発明は、これに限定を受けるものではない。例えば、略Ｕ字状の断面形状を有する通路構成部材を用いオイル通路を構成することなどもできる。
【００８９】
上記実施形態及び変形例１，２では、仕切壁４，１２，１５における絞り壁部４４に３つの連通孔４４ａ及び絞り孔４４ｂを設けることとしたが、本発明は、これに限定を受けるものではない。設ける孔部の数については、１つ又は２つであってもよいし、４つ以上であってもよい。
【００９０】
上記実施形態及び変形例１，２では、仕切板４，１２，１５の構成材料については特に言及しなかったが、種々の材料を採用することができる。例えば、樹脂材料や金属材料などを採用することができる。特に、金属材料を採用する場合にあっては、熱伝導性に優れるアルミニウム合金などを採用することが好適である。あるいは、加工の容易性を考慮して樹脂材料を用いることも好適である。
【００９１】
また、仕切板を金属材料と樹脂材料とを組み合わせて形成することも可能である。この場合には、例えば、インサート成形などを採用することができる。
【符号の説明】
【００９２】
１  エンジン
２  シリンダヘッド
３  ヘッドカバー
４，１２，１５  仕切板
５  オイルセパレータ部
６，９，１３，１４  オイル通路
１０，１１  カムシャフト
４０，１２０，１５０  本体部
４４  絞り壁部
４４ａ  連通孔
４４ｂ  絞り孔
６０，９０  通路構成部材
１５０ａ  オイル通路部
【図１】
2018168720.tif 000003
【図２】
2018168720.tif 000004
【図３】
2018168720.tif 000005
【図４】
2018168720.tif 000006
【図５】
2018168720.tif 000007
【図６】
2018168720.tif 000008
【図７】
2018168720.tif 000009
【図８】
2018168720.tif 000010
【図９】
2018168720.tif 000011